(57)【特許請求の範囲】
【請求項１】
軸筒の後端側にそれぞれ軸方向に沿ってかつ周方向に並ぶようにして形成された複数のガイドスリットと、前記ガイドスリットの各々に案内されて前記軸筒の軸方向に摺動可能になされ、前記軸筒内に収容された各筆記体の後端部がそれぞれ接続された複数のノック棒とが備えられ、前記複数のノック棒のうち、一つのノック棒が軸筒の先端側に向かって摺動されると、前記ノック棒に接続された筆記体の先端筆記部が、前記軸筒の先端口から突出して筆記が可能となるように構成された複式筆記具であって、
前記軸筒内に回転可能に装着されると共に、前記複数のノック棒のうち、一つのノック棒が軸筒の先端側に向かって摺動されるに伴って回転駆動され、前記一つのノック棒を前進状態で係止する係止部が形成された回転カムが具備され、
前記回転カムは、他の一つのノック棒が軸筒の先端側に向かって摺動されるに伴って回転駆動され、前記一つのノック棒における前記係止部による係止状態を解くと共に、前記他の一つのノック棒を係止部により前進状態で係止するように構成したことを特徴とする複式筆記具。
【請求項２】
前記回転カムは円筒状に形成されて、その円筒軸が前記軸筒の軸方向に一致するようにして回転可能に支持され、前記ノック棒を軸筒の先端側に向かって前記ガイドスリットに沿って摺動させた場合に、当該ノック棒に形成された軸中心方向に突出する突起部が摺動することによって、軸回りの回転駆動を受ける第１カム部が前記回転カムの円筒面に形成され、かつ前記回転カムには前記軸回りの回転とは逆回りの回転作用を与える第２カム部が、前記回転カムの軸方向の端部に形成されていることを特徴とする請求項１に記載された複式筆記具。
【請求項３】
前記回転カムは軸方向に移動可能に支持されると共に、前記第２カム部に対峙するようにして固定カム部が配置され、前記第２カム部が前記固定カム部に当接することで、前記回転カムに前記軸回りの回転とは逆回りの回転作用を与えることを特徴とする請求項２に記載された複式筆記具。
【請求項４】
前記回転カムを軸方向に付勢して、前記第２カム部を前記固定カム部にかみ合い状態にするカム付勢ばねが備えられていることを特徴とする請求項３に記載された複式筆記具。
【請求項５】
前記回転カムの円筒面に形成された前記第１カム部は、前記円筒面上において軸方向に長く島状に突出して形成された複数の島状突出部と、前記ノック棒が軸筒の先端側に向かって移動した時に、当該ノック棒に形成された前記突起部が摺動して、前記回転カムを一方向に回転駆動させる前記島状突出部にそれぞれ形成された軸方向に対して所定の傾斜角度を持つカム面より構成し、
前記ノック棒を前進状態で係止する係止部が、軸方向に直交するようにして前記島状突出部に形成された係止面により構成されていることを特徴とする請求項２ないし請求項４のいずれか１項に記載された複式筆記具。
【請求項６】
前記各島状突出部に形成された軸方向に対して所定の傾斜角度を持つ各カム面は、一つの前記ノック棒を軸筒の先端側に向かって前記ガイドスリットに沿って摺動させた場合に、前記回転カムを軸回りの第１回転方向に回転作用を与えるように構成すると共に、他の一つの前記ノック棒を軸筒の先端側に向かって前記ガイドスリットに沿って摺動させた場合に、前記回転カムを前記第１回転方向に対して逆回りの第２回転方向に回転作用を与えるように構成されていることを特徴とする請求項５に記載された複式筆記具。
【請求項７】
前記回転カムに前記第１回転方向の回転作用を与える島状突出部と、前記回転カムに前記第１回転方向に対して逆回りの第２回転方向に回転作用を与える島状突出部には、一つの前記ノック棒を軸筒の先端側に向かって前記ガイドスリットに沿って摺動させた場合に、他の一つノック棒に形成された軸中心方向に突出する前記突起部が当接することで、前記他の一つノック棒が軸筒の先端側に向かって摺動するのを阻止するストッパー部がそれぞれ形成されていることを特徴とする請求項６に記載された複式筆記具。
【請求項８】
前記各ノック棒には、当該ノック棒を後退する方向に付勢するリターンばねがそれぞれ装着され、前記島状突出部に形成された係止部に係止された前進状態のノック棒が、その係止が解かれた状態において、前記ノック棒に形成された前記突起部が前記島状突出部の長手方向の側面に突出する緩衝用突起に摺接しつつ、前記ノック棒が前記リターンばねの付勢力で後退位置に戻るように構成されていることを特徴とする請求項５または請求項６に記載された複式筆記具。
【請求項９】
前記回転カムを構成する円筒状部材の円筒面は、軸方向に沿って同一径に構成され、前記円筒状部材の円筒面に、前記ノック棒に形成された軸中心方向に突出する突起部が摺接しつつ、軸方向に移動するように構成したことを特徴とする請求項２ないし請求項４のいずれか１項に記載された複式筆記具。
【発明の詳細な説明】
【技術分野】
【０００１】
この発明は、複数の筆記体を軸筒内に収容し、いずれかの筆記体の先端筆記部を軸筒の先端口より選択的に繰り出すことができる複式筆記具に関する。
【背景技術】
【０００２】
軸筒中に複数の筆記体を収容し、所定の繰り出し操作により、軸筒の先端口からいずれか一つの筆記体の先端筆記部を繰り出す構造の複式筆記具が提供されている。
この複式筆記具における筆記体の繰り出し方式の一つにノック式繰り出し方式と呼ばれるものがある。このノック式繰り出し方式は、軸筒の後端部に軸方向に沿って複数のガイドスリットが形成され、これらのガイドスリットに沿ってノック棒の指掛け部がそれぞれスライド可能に配置された構成が採用されている。
そして、軸筒内に配置される前記ノック棒の前端部に、筆記体として機能する例えばボールペンリフィールの後端部が装着されるようになされる。
【０００３】
前記した複式筆記具においては、いずれかのノック棒の指掛け部を前記ガイドスリットに沿って前方にノック操作（スライド操作）することで、ノック棒に装着された筆記体が軸筒内を前進し、軸筒の先端口から前記筆記体の先端筆記部が繰り出される。
また、いずれかの筆記体の先端筆記部が繰り出されている状態において、他のノック棒の指掛け部を前方に向かってノック操作することで、先端筆記部が繰り出されている前記筆記体はリターンばねによって後退し、代わって他の筆記体の先端筆記部が軸筒の先端口から繰り出されるように作用する。
【０００４】
前記したノック式繰り出し方式を採用した複式筆記具として、特許文献１および２を挙げることができる。
この特許文献１および２に開示された構成によれば、各筆記体の後端部が接続されることで筆記体を支持するノック棒には、当該ノック棒をノック操作した状態に係止される係止片と、係止状態の他のノック棒を軸筒内の外周方向に押し出して前記係止片の係止状態を解くためのカム片がそれぞれ備えられている。
【０００５】
加えて、各ノック棒に形成される前記係止片とカム片とは、ノック操作のストロークに対応して、ある程度の距離を持たせる必要があるために、前記各ノック棒は軸方向に長い寸法に形成せざるを得ない。
これによると、筆記具（軸筒）の軸方向の長さ寸法が大きくなるために、これを短縮させるには、筆記体としての例えばボールペンリフィールの長さを短縮させる工夫が必要になる。しかしながら、ボールペンリフィールを短縮させた場合には、当然ながらリフィールに蓄積できるインク量も減少するために、筆記距離が短くなるという不満を招くことになる。
【０００６】
そこで、ボールペンリフィールの軸方向の長さ寸法をある程度確保するために、ノック棒の軸方向の寸法を実質的に短縮させる工夫を施した複式多色ボールペンが、特許文献３に開示されている。
【先行技術文献】
【特許文献】
【０００７】
【特許文献１】特開２００１−２２５５８８号公報
【特許文献２】特開２０１０−７６２８１号公報
【特許文献３】特開２００３−１１５８４号公報
【０００８】
前記特許文献３に開示された複式多色ボールペンに用いられるノック棒によると、ボールペンリフィールの後端部を、外側から覆う連結孔部をノック棒の前端部に備えたものであり、この構成によるとボールペンリフィールの後端部を被る位置のノック棒の外側に前記したカム片を形成することができる。
【０００９】
この特許文献３に開示された複式多色ボールペンによれば、ノック棒の軸方向の長さを確保することができると共に、ボールペンリフィールの長さも確保することが可能であり、結果として筆記具の全長が長くなるのを防ぎつつ、筆記距離を長く確保できるボールペンリフィールを搭載した複式筆記具を提供することができる。
【発明の概要】
【発明が解決しようとする課題】
【００１０】
ところで、特許文献３に開示された複式筆記具のノック棒によると、ノック棒の前端部がボールペンリフィールの後端部の外側を前記した連結孔部によって囲むようにして接続することになる。これによると、ボールペンリフィールの後端部側がノック棒の一部によって覆われるために、ボールペンリフィールの撓み（湾曲）を大きくとることができず、ノック操作により選択されたボールペンリフィールの一部が軸筒内で接触し、筆記体の繰り出し動作や後退動作に不良が発生し得る。
【００１１】
また、特許文献１〜３に開示された従来の複式筆記具においては、ノック棒をノック操作することで、ノック棒に形成された前記係止片が軸筒の軸芯方向に落ち込み、軸筒内に配置された鍔部等に係止される。これにより、ボールペンリフィール等の先端筆記部が軸筒の先端口から繰り出された状態に保持される。
すなわち、ガイドスリットに沿って摺動する前記指掛け部は、ノック操作に伴って前記ガイドスリット内に落ち込むような動作がなされる。
【００１２】
したがって、ノック棒に形成された前記指掛け部は、その落ち込み度合いを考慮して予め甲高に突出したようなデザインを余儀なくされる場合が生ずる。
また、前記指掛け部に代えて、前記ノック棒にクリップ部を形成する場合には、クリップ部の根元部分が同様に軸芯方向に落ち込む動作がなされるために、軸筒に対するクリップ部の配置が不自然で、外観上において見栄えが悪いなどの印象を与えることになる。
【００１３】
この発明は、前記した従来の複式筆記具の問題点に着目してなされたものであり、筆記体の繰り出し不良などの動作不良の発生を効果的に防止し得ると共に、前記したノック棒のカム片を不要にすることでノック棒を短寸にすることを可能にし、筆記具全体の長さ寸法を大きくすることなく、筆記距離の長いリフィールを搭載可能な複式筆記具を提供することを課題とするものである。
また、ガイドスリットに沿って摺動する前記指掛け部もしくはクリップ部の根元部分が軸芯に向かって落ち込む動作がなされることで外観上の見栄えを悪くするなどの問題を解消することができる複式筆記具を提供することを課題とするものである。
【課題を解決するための手段】
【００１４】
前記した課題を解決するためになされたこの発明に係る複式筆記具は、軸筒の後端側にそれぞれ軸方向に沿ってかつ周方向に並ぶようにして形成された複数のガイドスリットと、前記ガイドスリットの各々に案内されて前記軸筒の軸方向に摺動可能になされ、前記軸筒内に収容された各筆記体の後端部がそれぞれ接続された複数のノック棒とが備えられ、前記複数のノック棒のうち、一つのノック棒が軸筒の先端側に向かって摺動されると、前記ノック棒に接続された筆記体の先端筆記部が、前記軸筒の先端口から突出して筆記が可能となるように構成された複式筆記具であって、前記軸筒内に回転可能に装着されると共に、前記複数のノック棒のうち、一つのノック棒が軸筒の先端側に向かって摺動されるに伴って回転駆動され、前記一つのノック棒を前進状態で係止する係止部が形成された回転カムが具備され、前記回転カムは、他の一つのノック棒が軸筒の先端側に向かって摺動されるに伴って回転駆動され、前記一つのノック棒における前記係止部による係止状態を解くと共に、前記他の一つのノック棒を係止部により前進状態で係止するように構成したことを特徴とする。
【００１５】
この場合、好ましい形態においては、前記回転カムは円筒状に形成されて、その円筒軸が前記軸筒の軸方向に一致するようにして回転可能に支持され、前記ノック棒を軸筒の先端側に向かって前記ガイドスリットに沿って摺動させた場合に、当該ノック棒に形成された軸中心方向に突出する突起部が摺動することによって、軸回りの回転駆動を受ける第１カム部が前記回転カムの円筒面に形成され、かつ前記回転カムには前記軸回りの回転とは逆回りの回転作用を与える第２カム部が、前記回転カムの軸方向の端部に形成した構成にされる。
【００１６】
加えて、前記回転カムは軸方向に移動可能に支持されると共に、前記第２カム部に対峙するようにして固定カム部が配置され、前記第２カム部が前記固定カム部に当接することで、前記回転カムに前記軸回りの回転とは逆回りの回転作用を与えるように構成される。
【００１７】
この場合、好ましくは前記回転カムを軸方向に付勢して、前記第２カム部を前記固定カム部にかみ合い状態にするカム付勢ばねが備えられる。
【００１８】
加えて好ましい形態においては、前記回転カムの円筒面に形成された前記第１カム部は、前記円筒面上において軸方向に長く島状に突出して形成された複数の島状突出部と、前記ノック棒が軸筒の先端側に向かって移動した時に、当該ノック棒に形成された前記突起部が摺動して、前記回転カムを一方向に回転駆動させる前記島状突出部にそれぞれ形成された軸方向に対して所定の傾斜角度を持つカム面より構成し、前記ノック棒を前進状態で係止する係止部が、軸方向に直交するようにして前記島状突出部に形成された係止面により構成される。
【００１９】
また、前記した複式筆記具における他の好ましい形態においては、前記各島状突出部に形成された軸方向に対して所定の傾斜角度を持つ各カム面は、一つの前記ノック棒を軸筒の先端側に向かって前記ガイドスリットに沿って摺動させた場合に、前記回転カムを軸回りの第１回転方向に回転作用を与えるように構成すると共に、他の一つの前記ノック棒を軸筒の先端側に向かって前記ガイドスリットに沿って摺動させた場合に、前記回転カムを前記第１回転方向に対して逆回りの第２回転方向に回転作用を与えるように構成される。
【００２０】
加えて、前記した複式筆記具における他の好ましい形態においては、前記回転カムに前記第１回転方向の回転作用を与える島状突出部と、前記回転カムに前記第１回転方向に対して逆回りの第２回転方向に回転作用を与える島状突出部には、一つの前記ノック棒を軸筒の先端側に向かって前記ガイドスリットに沿って摺動させた場合に、他の一つノック棒に形成された軸中心方向に突出する前記突起部が当接することで、前記他の一つノック棒が軸筒の先端側に向かって摺動するのを阻止するストッパー部がそれぞれ形成される。
【００２１】
さらに、前記した複式筆記具における他の好ましい形態においては、前記各ノック棒には、当該ノック棒を後退する方向に付勢するリターンばねがそれぞれ装着され、前記島状突出部に形成された係止部に係止された前進状態のノック棒が、その係止が解かれた状態において、前記ノック棒に形成された前記突起部が前記島状突出部の長手方向の側面に突出する緩衝用突起に摺接しつつ、前記ノック棒が前記リターンばねの付勢力で後退位置に戻るように構成される。
【００２２】
また、前記回転カムを構成する円筒状部材の円筒面は、軸方向に沿って同一径に構成され、前記円筒状部材の円筒面に、前記ノック棒に形成された軸中心方向に突出する突起部が摺接しつつ、軸方向に移動するように構成されることが望ましい。
【発明の効果】
【００２３】
前記した構成の複式筆記具によると、任意の一つのノック棒の前進動作に伴って回転駆動され、前記ノック棒の前進状態で係止する係止部を有する回転カムを具備した構成にされているので、前記した特許文献１および２に示されたように各ノック棒に対して所定の距離をおいて係止片とカム片を配置したノック棒は不要となり、前記したノック棒を用いることで、筆記体としての例えばボールペンリフィールの長さを短縮させなければならないという問題を解消することができる。
【００２４】
また、特許文献１および２に開示されたノック棒を用いることによる前記問題点を解消しようとする特許文献３に記載のノック棒を用いる場合、ボールペンリフィールの撓み（湾曲）を大きくとることができずに生ずる筆記体の繰り出し不良などの動作不良の発生も効果的に防止することができる複式筆記具を提供することができる。
【００２５】
さらに、前記した複式筆記具によると、ノック棒のノック操作に伴って回転カムに形成された係止部に、ノック棒に形成された軸中心方向に突出する突起部が係止されるように構成されているので、ノック操作に伴ってノック棒に形成された指掛け部もしくはクリップ部の根元部分が軸芯に向かって落ち込み、外観上の見栄えを悪くするという従来の複式筆記具の問題点を改善することができる。
【図面の簡単な説明】
【００２６】
【図１】この発明に係る複式筆記具の第１の実施の形態について全体構成を示した中央断面図である。
【図２】後軸を拡大して示した一部断面図である。
【図３】後軸の中央部に配置されるスペーサの一部断面図である。
【図４】後軸に形成されたガイドスリット内に摺動するノック棒の上面図である。
【図５】同じくノック棒を軸回りに９０度回転させた状態で示す正面図である。
【図６】回転カムの支持シャフトを拡大して示した正面図である。
【図７】回転カムに施された主に第１カム部を示す正面図である。
【図８】同じく回転カムの一部断面図である。
【図９】図８における中央部で切断した状態の回転カムの断面図である。
【図１０】回転カムに施された主に第２カム部を示す回転カムの断面図である。
【図１１】後軸の後端部に配置された固定カム部側を示した断面図である。
【図１２】回転カムの円筒面に形成した第１カム部を展開して示した模式図である。
【図１３】回転カムの後端部に形成した第２カム部を展開して示した模式図である。
【図１４】後軸の後端部に配置した固定カム部側を展開して示した模式図である。
【図１５】この発明に係る複式筆記具の第２の実施の形態について全体構成を示した中央断面図およびシャープペンシルリフィールの一部断面図である。
【図１６】第２の実施の形態における後軸を拡大して示した一部断面図である。
【図１７】同じく後軸の中央部に配置されるスペーサの一部断面図である。
【図１８】同じく回転カムの支持シャフトを拡大して示した正面図である。
【図１９】同じく回転カムに施された主に第１カム部を示す正面図である。
【図２０】同じく回転カムの一部断面図である。
【図２１】図１９に示す回転カムを第２カム部側から見た状態の模式図である。
【図２２】同じく図１９に示す回転カムの円筒面に形成した第１カム部を展開して示した模式図である。
【図２３】図１９に示す回転カムの第１変形例について第２カム部側から見た状態の模式図である。
【図２４】同じく図１９に示す回転カムの第１変形例について第１カム部を展開して示した模式図である。
【図２５】図１９に示す回転カムの第２変形例について第２カム部側から見た状態の模式図である。
【図２６】同じく図１９に示す回転カムの第２変形例について第１カム部を展開して示した模式図である。
【図２７】第３の実施の形態における後軸部分を拡大して示した外観図である。
【発明を実施するための形態】
【００２７】
この発明に係る複式筆記具の第１の実施の形態について、筆記体として５本のボールペンリフィールを軸筒内に収容した複式多色ボールペンに基づいて説明する。
なお、以下に示す各図においては、同一部分を同一符号で示しているが、紙面の都合により一部の図面においては、代表的な部分に符号を付け、その詳細な構成はその他の各図面に付けた符号を引用して説明する場合もある。
【００２８】
図１に全体構成を断面図で示したとおり、複式筆記具１の外郭を構成する軸筒は、前軸２および後軸３により構成されている。すなわち、前軸２の後端部外周面に形成された雄ネジに対して、後軸３の前端部内周面に形成された雌ネジが螺合して両者が分離可能に連結されている。
前記前軸２はその先端部が円錐形状に縮径して、先端口４が開口されており、この先端口４よりボールペンリフィール５の先端筆記部（ボールペンチップ）５ａが択一的に突出できるように構成されている。また、前記前軸２の外周面にはゴムもしくは合成樹脂を素材としたグリップ部６が捲装されるようにして装着されている。
【００２９】
前記後軸３は、図２に拡大して一部を断面図で示したとおり、その前端部内周面には前記前軸２に螺合するための雌ネジ７が施され、この雌ネジ７の若干後部寄りには後述するスペーサを嵌合して取り付けるための内周面に僅かに突出する環状突起８が形成されている。また後軸３の内周面の中央部には、５本のガイドリブ９が周方向に等間隔に、かつ軸方向に沿って突出して形成されている。これは前記したボールペンリフィール５を周方向に均等配置すると共に、ボールペンリフィール５の前進および後退運動においてガイドとしての役割を果たす。
【００３０】
また、図２に示すように前記後軸３の後端部側面には、それぞれ軸方向に沿ってかつ周方向に等間隔に並ぶようにして、５本のガイドスリット１１が後軸３を貫通するようにして形成されている。このガイドスリット１１は、後述するノック棒を案内して当該ノック棒をそれぞれ軸方向に摺動可能に支持する機能を果たす。また後軸３の後端部内面には、固定カム部１２が形成されているが、この固定カム部については、後で図１１および図１４を用いて詳しく説明する。
【００３１】
図１に示すように、後軸３内にはスペーサ１３が後軸３の内周面に嵌合した状態で取り付けられている。
図３は、前記スペーサ１３の単体を拡大して示したものであり、このスペーサ１３には円筒部１４と、この円筒部の軸方向の端面に一体に形成されたガイド棒１５とが備えられている。そして、前記円筒部１４には、前記ボールペンリフィール５を挿通するための５つのリフィール挿通孔１６が形成されると共に、前記ガイド棒１５には前記ボールペンリフィール５の前進および後退動作をガイドするために円弧状に凹んだ５本の円弧状溝１５ａが軸方向に沿って形成されている。
【００３２】
図３に示したスペーサ１３における前記円筒部１４の円筒面には、図３には現れていないが、僅かに中央部が凹んだ状態に成形されており、図２に示した後軸３の前記環状突起８を利用して、スペーサ１３は図１に示すように後軸３内において嵌合されることにより取り付けられている。
また、図１に示すように後軸３内には、この後軸３の後端部に形成された前記ガイドスリット１１に案内されて軸方向に摺動可能にノック棒１８が配置されている。
【００３３】
図４および図５は、前記ノック棒１８の外観構成を拡大して示したものである。このノック棒１８の前端部には、円筒状に突出して前記ボールペンリフィール５の後端部内面に嵌合するリフィール取付け部１９が形成されると共に、ノック棒１８の後端部には、前記ガイドスリット１１を介して後軸３の外側に突出する半円形状の指掛け部２０が形成されている。
また、ノック棒１８の前記指掛け部２０の背中合わせの位置には、図５に示すように円柱状の突起部２１が形成されており、このノック棒１８は図１に示すように後軸３内に装着された状態で、前記円柱状の突起部２１は、軸中心方向に向くように形成されている。
【００３４】
さらにノック棒１８におけるリフィール取付け部１９の若干後方寄りには、一部が鍔状になされたばね受け部２２が形成されている。
このばね受け部２２は、図１に示すようにノック棒１８にリフィール５が取り付けられた状態において、前記スペーサ１３の円筒部１４との間でコイル状のリターンばね２３が介装され、このリターンばね２３の作用により、前記ノック棒１８およびリフィール５が軸筒内で後退する方向に付勢される。
【００３５】
図１に示すように後軸３内の後端部付近には、回転カム２５が収容されている。この回転カム２５は円筒状に形成されて、その円筒軸が金属製の支持シャフト２６によって回転可能にかつ軸方向に移動可能に支持されている。
前記金属製の支持シャフト２６は、図６に拡大して示したとおり、前方の一端部が大径部２６ａになされ、後方の他端部が小径部２６ｂになされている。したがって、支持シャフト２６の前記小径部２６ｂ側からコイル状のカム付勢ばね２７、続いて前記回転カム２５を挿通した上で、前記小径部２６ｂを後軸３の後端部に嵌合することで、回転カム２５の円筒軸が後軸３の軸方向に一致するように取り付けることができる。なお、支持シャフト２６は金属製であると説明したが、これは樹脂製でも良い。
【００３６】
前記した回転カム２５の取付け構造によると、円筒状の回転カム２５は、支持シャフト２６の軸回りに回転可能に支持され、かつ支持シャフト２６の軸方向に摺動可能に支持されると共に、前記カム付勢ばね２７の作用により回転カム２５は軸方向の後方に向けて付勢された状態になされる。
【００３７】
図７〜図１０は、前記回転カム２５の構成を示したものである。この回転カム２５は図７に示すとおり、軸方向に沿って同一径に構成された円筒状部材２５ａの円筒面に、第１カム部３１が形成されている。この第１カム部３１は、前記円筒面上において軸方向に長く島状に突出して形成された５つの島状突出部３１ａにより構成されており、前記各島状突出部３１ａの軸方向の後端側、すなわち図７および図８において向かって右側には、軸方向に対して所定の傾斜角度を持つカム面３１ｂが形成されている。
【００３８】
また、前記各島状突出部３１ａの前端側、すなわち図７および図８において向かって左側には、軸方向に直交するように形成された係止面による係止部３１ｃが形成されている。さらに、前記各島状突出部３１ａの前端側における前記係止部３１ｃに隣接する位置には、軸方向に対して所定の傾斜角度を持つ傾斜面３１ｄが形成されている。
【００３９】
一方、前記回転カム２５には、その軸方向の後端部に第２カム部３２が形成されている。この第２カム部３２は、前記回転カム２５の円筒部端面から軸方向の後方に突出する２本の棒状突出部３２ａにより構成され、各棒状突出部３２ａの頂端部には、軸に直交する面に対して所定の傾斜角度を持つカム面３２ｂが形成されている。
【００４０】
なお、図９は前記した回転カム２５における第１カム部３１の中央部において、軸に直交する方向で切断した断面図で示しており、第１カム部３１を構成する前記した５つの島状突出部３１ａは、周方向に等間隔に形成されている。
また、図１０は前記した第２カム部３２の棒状突出部３２ａの位置において、軸に直交する方向で切断した断面図で示しており、前記第２カム部３２のカム面３２ｂは、回転カム２５の軸を中央にした対称位置（１８０度対向する位置）にそれぞれ形成されている。
【００４１】
前記した回転カム２５の第２カム部３２に対峙するようにして、前記した固定カム部１２が後軸３の後端部内面に配置されている。この固定カム部１２は、図１１に拡大断面図で示したとおり、円環状に突出した端面における１８０度対向する位置にそれぞれ所定の角度の傾斜面を有する第１カム面１２ａが形成され、この２つの第１カム面１２ａを円環状に結ぶ位置には第２カム面１２ｂが形成されている。すなわち、前記第１カム面１２ａと第２カム面１２ｂとが交互に周方向に連続して形成されており、その作用は図１４に示す模式図に基づいて後で説明する。
【００４２】
なお、図１１において後軸３の後端部中央に形成された貫通孔３ａは、図６に示した金属製の支持シャフト２６における小径部２６ｂが嵌合されるためのものであり、これにより、前記した回転カム２５は軸筒内の後端部側に回転可能にかつ軸方向に移動可能に取り付けられる。
【００４３】
図１２〜図１４は、前記した回転カム２５における第１カム部３１、第２カム部３２、後軸３内に配置された固定カム部１２の作用について説明するものである。
図１２は、前記した回転カム２５における第１カム部３１の一部の構成を模式的に示したものであり、この図１２においては周方向に隣接する２つの島状突出部３１ａが展開された状態で描かれている。また図１３は、回転カム２５における第２カム部３２の棒状突出部３２ａを展開して示したものであり、棒状突出部３２ａの先端部には、軸に直交する面に対して同一の傾斜角度を有するカム面３２ｂがそれぞれ形成されている。
【００４４】
さらに図１４（ａ）および（ｂ）は、後軸３内に配置された固定カム部１２を展開して示したものであり、図１４（ａ）は前記した先端筆記部（ボールペンチップ）５ａの繰り出し操作の前後の状態を示し、図１４（ｂ）は先端筆記部５ａの繰り出し操作の途中の状態を示している。
なおこの図１４においては、固定カム部１２に対して前記した第２カム部３２における２つの棒状突出部３２ａのそれぞれのカム面３２ｂが当接することになるが、ここでは図が繁雑になるために、１つの棒状突出部３２ａのカム面３２ｂが当接している状態を模式的に示している。
【００４５】
図１４に示すように、後軸３内に配置された固定カム部１２には、前記したとおり第１カム面１２ａと第２カム面１２ｂとが交互に周方向に連続して形成されているが、前記第２カム部３２のカム面３２ｂは、前記したコイル状のカム付勢ばね２７の作用により第２カム面１２ｂに当接している。
【００４６】
なお、固定カム部１２に形成された第１カム面１２ａは、以下に説明する先端筆記部５ａの繰り出し動作に直接関係するものではないが、この第１カム面１２ａは、前記した支持シャフト２６を利用して回転カム２５を後軸３内に組み付ける際に利用される。
すなわち、組み付けの際に前記棒状突出部３２ａの先端部が第１カム面１２ａに当接した場合、棒状突出部３２ａの先端部は第１カム面１２ａを滑って、前記第２カム面１２ｂに落ち込むように作用する。したがって、前記回転カム２５を後軸３内に組み付けた際には、必ず図１４（ａ）に示す状態になされる。
【００４７】
前記した複数のノック棒１８のうち、任意の一つのノック棒がガイドスリット１１に沿って軸筒の先端側に向かって摺動されると、図１２に示す模式図において、ノック棒１８に形成された軸中心方向に突出する円柱状の突起部２１が、回転カム２５を構成する円筒状部材２５ａの円筒面に摺接しつつ軸方向の前方に移動する。図１２には前記突起部２１の移動状態が矢印ａで示されている。
これにより、前記ノック棒１８に形成された突起部２１は、図１２に矢印ａで示されているとおり、島状突出部３１ａに形成されたカム面３１ｂに当接する。なお、５本のリフィールを備えることで、５つの島状突出部３１ａを具備したこの実施の形態においては、前記カム面３１ｂの軸方向に対する傾斜角度Ｘは、２０〜３０度程度とすることが望ましい。
【００４８】
前記ノック棒１８に形成された突起部２１が、島状突出部３１ａに形成されたカム面３１ｂに当接する初期の状態においては、図１３に展開して示す第２カム部３２のカム面３２ｂは、図１４（ａ）に示すように固定カム１２に形成された第２カム面１２ｂの深い位置（後退位置）に当接している。
続いて、ノック棒１８が先端側に向かってさらに摺動されると、回転カム２５のカム面３１ｂに当接する前記突起部２１は、相対的に矢印ｂで示す前進作用を受けて、回転カム２５は矢印ｄ方向、すなわち軸回りの第１回転方向に回転する。この動作により、図１４（ｂ）に示すように第２カム部３２のカム面３２ｂは、固定カム１２に形成された第２カム面１２ｂ上に沿って矢印ｄ方向にせり上る。
【００４９】
この時、第２カム部３２のカム面３２ｂは、前記したコイル状のカム付勢ばね２７の作用により、図１４（ａ）に示す状態に戻ろうとする動作が働き、前記回転カム２５を前記第１回転方向に対して逆回りの第２回転方向（矢印ｅ）に回転させようとするトルクが発生する。
この状態において、なおもノック棒１８は先端側に向かう動作を受け、ノック棒１８に形成された突起部２１が、図１２に示すように島状突出部３１ａに形成された係止部３１ｃまで達すると、前記第２回転方向（矢印ｅ）の回転トルクを受ける回転カム２５の作用により、ノック棒１８に形成された突起部２１は、相対的に矢印ｃで示す動きをすることになり、突起部２１は島状突出部３１ａに形成された係止部３１ｃに係止される。
これにより、ノック棒１８に取り付けられたリフィール５の先端筆記部５ａが、前記した前軸２の先端口４から突出して筆記が可能になる。
【００５０】
この状態において、任意の他の一つのノック棒１８をガイドスリット１１に沿って軸筒の先端側に向かって摺動させると、前記と同様の作用により、回転カム２５は矢印ｄ方向、すなわち第１回転方向に回転するため、島状突出部の係止部３１ｃに係止されていた前進動作中のリフィール５を支持するノック棒１８の突起部２１は、図１２に示す傾斜面３１ｄを摺動しながら、前記したリターンばね２３の作用により軸筒内を後退する。
【００５１】
そして、任意の他の一つのノック棒１８の前進動作による前記係止部３１ｃによる係止動作は、前記した動作と同様になされ、これにより任意の他の一つのリフィール５が使用可能になる。
なお、前記回転カム２５の島状突出部３１ａに形成された傾斜面３１ｄは、軸方向に対する傾斜角度Ｙが、１５〜２５度程度とすることが望ましい。この傾斜面３１ｄは、ノック棒１８の突起部２１が、前記係止部３１ｃによる係止から解かれた状態において、ノック棒１８およびリフィール５の後退動作を円滑に誘導するように作用し、これによりノック棒１８およびリフィール５の戻り不良を防止することに寄与できる。
【００５２】
次に図１５〜図２２は、この発明に係る複式筆記具の第２の実施の形態を示したものであり、これは筆記体として１本のシャープペンシルリフィール、および２本のボールペンリフィールを軸筒内に収容した例を示している。
なお、図１５〜図２２に示す第２の実施の形態においては、すでに説明した図１〜図１４に示した第１の実施の形態と同一の機能を果たす部分を同一符号で示している。したがって、その詳細な説明は適宜省略する。
【００５３】
図１５（ａ）は、シャープペンシルリフィール４１が繰り出され、前軸２の先端口４より先端筆記部４１ａが突出した状態を示している。
この実施の形態において用いられるシャープペンシルリフィール４１の単体構成を図１５（ｂ）に示しており、シャープペンシルリフィール４１は、先端に筆記部４１ａを備えた先部材４１ｂと、この先部材４１ｂに接続された芯ケース４１ｃと、前記先部材４１ｂと芯ケース４１ｃとの間に配置されたチャックばね４１ｄを備えている。
また、前記芯ケース４１ｃの後端部はボールジョイント等の連結部４１ｅを介して短軸の継手部材４１ｆが接続され、この継手部材４１ｆの後端部にノック棒への接続部４１ｇが取り付けられている。
【００５４】
前記連結部４１ｅは、芯ケース４１ｃと継手部材４１ｆとの間を屈曲可能に連結するものであり、これによりシャープペンシルリフィール４１の繰り出しおよび収納を可能にしている。すなわち関節機能を備えた前記連結部４１ｅの存在により、長尺状の芯ケース４１ｃを湾曲させずにシャープペンシルリフィール４１の繰り出し動作等を可能にしており、これにより芯ケース４１ｃ内の筆記芯を折損させるなどの問題を回避するようにされている。
【００５５】
この実施の形態においては、前記シャープペンシルリフィール４１の後端部に配置された接続部４１ｇがノック棒１８の前端部に形成されたリフィール取付け部１９に嵌合することで取り付けられている。またこの実施の形態においては、ノック棒１８の指掛け部２０に連続してクリップ２０ａが形成されているが、このクリップ２０ａは、必ずしも必須のものではない。
【００５６】
周知のとおり、前記シャープペンシルリフィール４１内には、図示していないが筆記芯を保持する金属製のチャック、このチャックを取り囲む環状の締め具、筆記芯を一時的に保持するゴム製の保持チャックなどが備えられている。
そして、シャープペンシルリフィール４１が繰り出された図１５（ａ）に示す状態において、前記指掛け部２０を前方にノック操作することで、前記チャックがチャックばね４１ｄを圧縮しながら先部材４１ｂ内を前進し、これにより筆記芯の繰り出しがなされる。すなわち、前記指掛け部２０のノック操作を繰り返すことで、先端筆記部４１ａより筆記芯が順次繰り出されることになる。
【００５７】
図１６は後軸３の単体構成を示したものであり、これは第１の実施の形態としてすでに説明した図２に示す構成に対応するものとなる。
ただしこの図１６に示す後軸３の構成においては、後軸３の後端部側面には、それぞれ軸方向に沿ってかつ周方向に等間隔に並ぶようにして、３本のガイドスリット１１が後軸３を貫通するようにして形成されており、また、後軸３の内周面には３本のガイドリブ９が周方向に等間隔に、かつ軸方向に沿って突出して形成されている。
これにより、前記したシャープペンシルリフィール４１および２本のボールペンリフィール５を周方向に均等配置すると共に、各リフィール５，１４の前進および後退運動においてガイドとしての役割を果たす。
【００５８】
図１７は後軸３の内周面に嵌合した状態で取り付けられるスペーサ１３の単体構成を示したものであり、これは第１の実施の形態としてすでに説明した図３に示す構成に対応するものとなる。
ただしこの図１７に示すスペーサ１３においては、円筒部１４には、前記各リフィール５，１４を挿通するための３つのリフィール挿通孔１６が軸回りに等間隔に形成されると共に、ガイド棒１５には前記各リフィール５，１４の前進および後退動作をガイドするために円弧状に凹んだ３本の円弧状溝１５ａが軸方向に沿って形成されている。
【００５９】
図１８は円筒状に形成された回転カム２５を回転可能にかつ軸方向に移動可能に支持する支持シャフト２６の構成を示すものであり、これは第１の実施の形態としてすでに説明した図６に示す構成に対応するものとなる。この図１８に示す支持シャフト２６においても、前方の一端部が大径部２６ａになされ、後方の他端部が小径部２６ｂになされており、その基本構成は、図６に示した支持シャフト２６と同一である。
なお、図１８に示す支持シャフト２６においては、軸方向の中央部に外径が若干異なる環状の段部２６ｃが施されており、図１５（ａ）に示すように、この段部２６ｃにカム付勢ばね２７の一端部が当接し、回転カム２５を軸方向の後端側に押すように作用する。
【００６０】
図１９および図２０は、第２の実施の形態において用いられる回転カム２５の構成を正面図および一部断面図で示したものであり、また図２１は図１９おける回転カム２５をその右側（第２カム部側）から見た状態の側面図である。
この第２の実施の形態に用いられる回転カム２５の第１カム部３１には、軸筒内に収容されるリフィールの数に合わせて３つの島状突出部３１ａが周方向に等間隔に形成されている。
【００６１】
そしてこの実施の形態においては、各島状突出部３１ａのうちのいずれか１つの島状突出部３１ａに形成されたカム面３１ｂの傾斜方向は、他の島状突出部３１ａに形成されたカム面３１ｂの傾斜方向と軸対称となるように構成されている。
すなわち図２２に３つの島状突出部３１ａを展開して示したように、上下の島状突出部３１ａに施されたカム面３１ｂの傾斜方向は、軸方向に対して所定の角度をもってそれぞれ同一方向に向くように構成されているのに対して、中央の島状突出部３１ａに施されたカム面３１ｂの傾斜方向は、前記２つのカム面３１ｂの傾斜方向に対して軸対称の傾斜方向となるように構成されている。
【００６２】
すなわち、図２２に示す上下いずれかの島状突出部３１ａに位置するノック棒１８を軸筒の先端側に向かって摺動させた場合には、回転カム２５を軸回りの第１回転方向に回転作用を与えるように作用し、図２２に示す中央の島状突出部３１ａに位置するノック棒１８を軸筒の先端側に向かって摺動させた場合には、前記回転カム２５を前記第１回転方向に対して逆回りの第２回転方向に回転作用を与えるように作用する。
この構成によれば、全てのノック棒１８を同時に軸筒の先端側に向かって摺動させることが不可能となるように、すなわち全てのリフィールを同時に繰り出すことができないように作用する。
【００６３】
図２２には前記した動作を説明するために、２つのノック棒１８に形成された突起部２１が示されている。この２つの突起部２１は、第１の実施の形態と同様にリフィールの繰り出し操作により矢印ａ方向に移動するものの、傾斜方向が軸方向で対称となるそれぞれのカム面３１ｂに同時に当接するために、回転カム２５は回転不可能となる。したがって、全てのノック棒１８を同時に前方に移動させることは不可能となる。
【００６４】
なお、この種の複式筆記具においては、複数のノック棒１８を同時に前方に移動させようとした場合には、これらのノック棒に連結された各リフィールの先端筆記部が軸筒の先端口付近で衝突するために、実質的に複数のノック棒を同時に前方に移動させることは不可能である。
【００６５】
しかしながら、第１の実施の形態においては、後軸３から前軸２を取り外した状態においては、前記動作が可能となり、例えば全てのリフィールを掴んで故意に前方に引き出すような動作をさせた場合には、全てのリフィール（ノック棒）が繰り出し状態となって、初期の状態に復帰させることが不可能となる場合が生ずる。
したがって、第２の実施の形態における回転カム２５の前記した第１カム部３１の構成を採用することで、前記した技術的な課題を解消することができる。
【００６６】
なお、前記した第２の実施の形態における回転カム２５の構成によると、図２２に模式図で示す上下のいずれかの島状突出部３１ａに施されたカム面３１ｂにノック棒の突起部２１が当接する場合と、中央の島状突出部３１ａに施されたカム面３１ｂにノック棒の突起部２１が当接する場合とでは、カム面３１ｂの傾斜方向が異なるために回転カム２５の回転方向が異なるものとなる。
しかしながら回転カム２５は、いずれの方向に回転が付与されても元の方向に回転復帰するように構成されている。
【００６７】
すなわち、図１９〜図２１に示すように、回転カム２５の軸方向の後端部側に形成された第２カム部３２には、回転カム２５の円筒状の端面に、一対のカム面３２ｃ，３２ｄによる２つの山形のカム部が形成されている。すなわちカム面３２ｃと３２ｄの境界部が山形のカム部の頂点となるように構成されている。
【００６８】
この第２カム部３２は、図１６に示す後軸３内の固定カム部１２に当接することにより、回転カム２５がいずれの方向に回転動作しても、元の方向に回転復帰するように作用する。これにより、ノック棒１８の突起部２１が、回転カム２５の係止部３１ｃに係止される動作、および異なるノック棒１８の前進動作により、先の突起部２１の係止動作が解かれる点については、前記した第１の実施の形態と同様になされる。
【００６９】
以上説明した複式筆記具によると、任意の一つのノック棒の前進動作に伴って回転駆動され、前記ノック棒を前進状態で係止する係止部を有する回転カムを具備した構成にされているので、特許文献１および２に開示されたノック棒を用いることで、筆記体としての例えばボールペンリフィールの長さを短縮させなければならないという問題を解消することができる。
さらに、前記した複式筆記具によると、特許文献３に開示されたノック棒を用いることによる筆記体の繰り出し不良などの動作不良の発生を効果的に防止することができるなど、前記した発明の効果の欄に記載した作用効果を得ることができる。
【００７０】
ところで、図１９〜図２１に示した回転カム２５を利用した場合には、図２２に示す模式図に基づいて説明したように、全てのノック棒１８を同時に前方に移動させることは不可能になるものの、各ノック棒１８について前方に移動させるタイミングをずらした場合には、全てのノック棒１８を前方に移動させることが可能になる場合も発生する。
この場合においては、前記したとおり全てのリフィール（ノック棒）が繰り出し状態となって、初期の状態に復帰させることが不可能となる。
【００７１】
そこで、次に示す図２３および図２４は、前記した問題をさらに解消し得る回転カム２５の形態を説明するものである。すなわち図２３および図２４は、図１９に示した回転カムを基本とした第１変形例について示したものであり、図２３は前記回転カム２５を第２カム部側から見た状態の模式図であり、図２４は前記回転カム２５の第１カム部を展開して示した模式図である。
【００７２】
この第１変形例については、図２１および図２２に示した形態に対して、ハッチングを付けた部分、すなわちハッチングで示すストッパー部３１ｅが加わっている。
このストッパー部３１ｅは、回転カム２５に前記第１回転方向の回転作用を与える島状突出部（図２４に示す上側の島状突出部３１ａ）および回転カム２５に前記第１回転方向に対して逆回りの第２回転方向に回転作用を与える島状突出部（図２４に示す中央の島状突出部３１ａ）のそれぞれに対して施されている。
そして、各ストッパー部３１ｅは、図２４に模式図で示したように各島状突出部３１ａにおけるカム面３１ｂが施された側面に対して背面側にそれぞれ配備されている。
【００７３】
この構成によると、図２４にノック棒の突起部を符号２１で示したように、いずれか一つのノック棒を軸筒の先端側に向かって移動させた場合に、他の一つノック棒に形成された突起部２１は、いずれかのストッパー部３１ｅに当接し、この突起部２１を備えたノック棒は、軸筒の先端側に向かって摺動するのが阻止される。
すなわち、図２４に示すように２つのノック棒１８に備えられたそれぞれの突起部２１は、矢印ｃで示すように軸筒の先端側に向かって摺動可能であるが、残りの１つのノック棒１８に備えられた突起部２１は、矢印ａで示すようにストッパー部３１ｅに当接して前進が阻止される。
【００７４】
したがって、図２３および図２４に示すように、回転カム２５にストッパー部３１ｅを配備することにより、全てのリフィール（ノック棒）が繰り出し状態になされる問題を、効果的に防止することができる。
【００７５】
また、図２５および図２６は、図１９に示した回転カムを基本として、その第２変形例について示したものであり、この図２５および図２６は、前記した回転カム２５を第２カム部側から見た状態の模式図および第１カム部を展開して示した模式図である。
この第２変形例については、図２１および図２２に模式図で示した形態に対して、ハッチングを付けた部分が加わっており、軸方向に長い島状突出部３１ａの長手方向の両辺に、軸方向と直交する方向に円弧状の突出部３１ｆが、それぞれ島状突出部３１ａと一体に成形されている。
【００７６】
図２５および図２６に示した回転カム２５の構成によると、島状突出部３１ａに形成された係止部３１ｃに係止された前進状態のノック棒１８の前記突起部２１は、その係止が解かれた状態において、ノック棒に形成された前記突起部２１が島状突出部２１ａの長手方向の側面に突出する円弧状の緩衝用突起３１ｆに摺接しつつ、前記したリターンばね２３の付勢力で後退位置に戻るように動作する。
【００７７】
すなわち、島状突出部３１ａに前記した緩衝用突起３１ｆが形成されているために、前進状態のノック棒１８における前記突起部２１は、緩衝用突起３１ｆに摺接した後に後退位置に戻るように動作する。
これによれば、前記緩衝用突起３１ｆの存在により、ノック棒１８の戻り動作に制動が付与され、ノック棒１８が後退位置に戻った時に発生する衝撃が和らげられる。
【００７８】
それ故、ノック棒１８の戻り動作において発生する衝撃音を減少させることができると共に、ノック棒１８に常に衝撃が加わることにより、リフィール内のインク中に微小な泡等が生成されるのを防止することにも寄与できる。
【００７９】
なお、図２５および図２６は、島状突出部３１ａに形成されたカム面３１ｂの傾斜方向が互いに異なるように（軸対称となるように）された構成に、緩衝用突起３１ｆを形成した例を示しているが、この緩衝用突起３１ｆは、図７〜図１０に示したように島状突出部３１ａに形成されたカム面３１ｂの傾斜方向が同一方向に向くようにされた構成にも適用することができる。
この場合には、ノック棒１８の戻り動作時において、前記突起部２１が移動する経路に、すなわち各島状突出部３１ａの長手方向の一側面に、前記緩衝用突起３１ｆを配置することで同様の作用効果を得ることができる。
【００８０】
以上説明した実施の形態においては、回転カム２５を構成する円筒状部材２５ａの円筒面は、軸方向に沿って同一径になされ、前記円筒状部材２５ａの円筒面に、ノック棒１８に形成された軸中心方向に突出する突起部２１が摺接しつつ、軸方向に移動するように構成されている。したがって、前記したガイドスリット１１に沿って移動するノック棒１８の指掛け部２０は、軸筒の軸芯と平行状態に移動することになる。
【００８１】
図２７は、その様子を示した第３の実施の形態を示す外観図であり、すでに説明した各部に相当する部分を同一符号で示している。なお、図２７（ａ）は、いずれか１つの指掛け部２０を軸筒の前方に向かってノック操作した状態を示している。また図２７（ｂ）は全ての指掛け部２０が、軸筒の後端部側に戻されている状態を示している。
特に、図２７（ａ）に示されているように、ガイドスリット１１に沿って前進移動する指掛け部２０は、軸筒の軸芯に対して平行移動し、従来例で示した複式筆記具のように、前進動作に伴って指掛け部２０が、ガイドスリット１１内に落ち込むような動作はなされない。
【００８２】
これは、図１５（ａ）に示したように、ノック棒１８に一体にクリップ２０ａを形成した場合も同様であり、クリップ２０ａの前進動作に伴ってその根元部分が軸芯方向に落ち込む動作はなされず、クリップ２０ａは軸筒の軸芯に対して平行移動する。
したがって、ガイドスリットに沿って摺動する前記指掛け部もしくクリップの落ち込み動作に配慮して、前記指掛け部もしくクリップを予め甲高に突出させるなどの工夫は不必要となり、デザイン上の観点においても優れた複式筆記具を提供することができる。
【符号の説明】
【００８３】
１      複式筆記具
２      前軸（軸筒）
３      後軸（軸筒）
４      先端口
５      筆記体（ボールペンリフィール）
５ａ    先端筆記部（ボールペンチップ）
６      グリップ部
７      雌ネジ
８      環状突起
９      ガイドリブ
１１    ガイドスリット
１２    固定カム部
１３    スペーサ
１４    円筒部
１５    ガイド棒
１６    リフィール挿通孔
１８    ノック棒
１９    リフィール取付け部
２０    指掛け部
２０ａ  クリップ
２１    突起部
２２    ばね受け部
２３    リターンばね
２５    回転カム
２５ａ  円筒状部材
２６    支持シャフト
２７    カム付勢ばね
３１    第１カム部
３１ａ  島状突出部
３１ｂ  カム面
３１ｃ  係止部
３１ｄ  傾斜面
３１ｅ  ストッパー部
３１ｆ  緩衝用突起
３２    第２カム部
３２ａ  棒状突出部
３２ｂ  カム面
４１    筆記体（シャープペンシルリフィール）
４１ａ  先端筆記部
４１ｃ  芯ケース
４１ｄ  チャックばね
４１ｅ  連結部
【図１】
0005972703.tif 000002
【図２】
0005972703.tif 000003
【図３】
0005972703.tif 000004
【図４】
0005972703.tif 000005
【図５】
0005972703.tif 000006
【図６】
0005972703.tif 000007
【図７】
0005972703.tif 000008
【図８】
0005972703.tif 000009
【図９】
0005972703.tif 000010
【図１０】
0005972703.tif 000011
【図１１】
0005972703.tif 000012
【図１２】
0005972703.tif 000013
【図１３】
0005972703.tif 000014
【図１４】
0005972703.tif 000015
【図１５】
0005972703.tif 000016
【図１６】
0005972703.tif 000017
【図１７】
0005972703.tif 000018
【図１８】
0005972703.tif 000019
【図１９】
0005972703.tif 000020
【図２０】
0005972703.tif 000021
【図２１】
0005972703.tif 000022
【図２２】
0005972703.tif 000023
【図２３】
0005972703.tif 000024
【図２４】
0005972703.tif 000025
【図２５】
0005972703.tif 000026
【図２６】
0005972703.tif 000027
【図２７】
0005972703.tif 000028